(57)【要約】【課題】  本考案は、傷付き易い紙製品または紙で包装された商品等を扱う場合に前記製品、商品、あるいは、包装紙に傷が付かないようにベルトのバックル部分をバックル覆いにより覆った作業パンツに関するものである。【解決手段】  本考案の作業パンツは、ベルトを通すベルト通しと、前記ベルトにおけるバックル部分を覆うバックル覆いと、前記バックル覆いを装着する第１の装着手段および第２の装着手段とから構成されている。前立て部を有する作業パンツは、ベルト通しにベルトを通し、身体の腰部でベルトを固定する。前記バックル覆いは、前記作業パンツの内部における第１の装着手段により一方を固定した後、他方（作業パンツから出る部分）を外部に備えられている第２の装着手段で固定するとともに、ベルトのバックル部分および第２の装着手段を覆う。【選択図】  図１
0003109646.tif 000002
【実用新案登録請求の範囲】
【請求項１】
前立て部を有する作業パンツにおいて、
身体の腰部にベルトを固定するためのベルト通しと、
前記作業パンツの内部に備えられた第１の装着手段と、
前記作業パンツの外部に備えられた第２の装着手段と、
前記第１の装着手段を介して前記作業パンツの内部に一方を装着し、前記ベルトのバックルを覆うとともに、他方を第２の装着手段が内側になるように装着されたバックル覆いと、
を少なくとも備えていることを特徴とする作業パンツ。
【請求項２】
前記第１の装着手段および第２の装着手段は、ドットボタン、ボタン、面ファスナのいずれかであることを特徴とする請求項１に記載された作業パンツ。
【請求項３】
前記バックル覆いは、バックルおよび腹部から膝近傍を覆うことを特徴とする請求項１または請求項２に記載された作業パンツ。
【考案の詳細な説明】
【技術分野】
【０００１】
本考案は、ベルト付きの作業パンツを履いて、傷付き易い製品、紙製品、または紙で包装された商品等を扱う場合に、前記製品、商品、あるいは、包装紙に傷が付かないようにベルトのバックル部分をバックル覆いにより覆った作業パンツに関するものである。
【背景技術】
【０００２】
作業パンツには、虫除け用として、たとえば、特開２００３−５５８１５号公報、鉄筋工用として、たとえば、特開２００１−１７９６６２号公報、危険事故防止特殊作業ズボンとして、たとえば、特開２０００−３２８３２２号公報、作業の安全のためのものとして、たとえば、特表平１１−５０３０５０号公報、作業パンツとしての材料に限定されたものとして、特表平１１−５１３４４４号公報および特表２００３−５０６５１３号公報等がある。前記各特許文献に記載された発明は、それぞれの目的に適った作業パンツである。
【特許文献１】特開２００３−５５８１５号公報
【特許文献２】特開２００１−１７９６６２号公報
【特許文献３】特開２０００−３２８３２２号公報
【特許文献４】特表平１１−５０３０５０号公報
【特許文献５】特表平１１−５１３４４４号公報
【特許文献６】特表２００３−５０６５１３号公報
【考案の開示】
【考案が解決しようとする課題】
【０００３】
しかし、作業パンツを身体に留めるバンドのバックルが商品等を傷付けるという課題の意識はなく、前記課題を解決するための出願および製品が無かった。本考案は、前記課題を解決すると同時に、前記特許文献の目的と異なる作業パンツを提供することを目的とする。すなわち、本考案は、傷付き易い製品または傷付き易い商品の扱いまたは運搬中に、作業パンツのバックル等によって前記製品、商品、あるいは、包装紙を傷付けないようにするための作業パンツを提供することを目的とする。
【課題を解決するための手段】
【０００４】
（第１考案）
第１考案の作業パンツは、身体の腰部にベルトを固定するためのベルト通しと、前記作業パンツの内部に備えられた第１の装着手段と、前記作業パンツの外部に備えられた第２の装着手段と、前記第１の装着手段を介して前記作業パンツの内部に一方を装着し、前記ベルトのバックルを覆うとともに、他方を第２の装着手段が内側になるように装着されたバックル覆いとを少なくとも備えていることを特徴とする。
【０００５】
（第２考案）
第２考案の作業パンツは、第１考案における第１の装着手段および第２の装着手段がドットボタン、ボタン、面ファスナのいずれかであることを特徴とする。
【０００６】
（第３考案）
第３考案の作業パンツは、第１考案または第２考案におけるバックル覆いがバックルおよび腹部から膝近傍を覆うことを特徴とする。
【考案の効果】
【０００７】
本考案によれば、ベルトを締めるバックル部分がバックル覆いによって覆われているため、紙や傷付き易い製品または商品を運搬する際に、バックル部分によって前記商品等を傷付けることがない。
【０００８】
本考案によれば、バックル覆いが作業パンツの前部に取り付けられる場合、第２の装着手段が表面に露出しないように取り付けられているため、商品等に傷を付けないだけでなく、寒冷地において、バックル覆いを大きめに作製しておけば、腹部が冷えることがない。
【０００９】
本考案によれば、バックル覆いを膝の近傍までも覆う大きさとすることで、傷付き易い製品の加工、調整、仕上げ、塗装等の作業を行なう場合、ベルトのバックルを覆うだけでなく、作業が容易であり、作業中に製品に傷を付けることがない。また、前記バックル覆いは、腹部から膝近傍まであるので、温かいだけでなく、作業パンツの前面を保護することもできる。
【考案を実施するための最良の形態】
【００１０】
（第１考案）
第１考案の作業パンツは、ベルトを通すベルト通しと、前記ベルトにおけるバックル部分を覆うバックル覆いと、前記バックル覆いを装着する第１の装着手段および第２の装着手段とから構成されている。前立て部を有する作業パンツは、ベルト通しにベルトを通し、身体の腰部でベルトを固定する。前記バックル覆いは、前記作業パンツの内部における第１の装着手段により一方を固定した後、他方（作業パンツから出る部分）を外部に備えられている第２の装着手段で固定するとともに、ベルトのバックル部分および第２の装着手段を覆う。
【００１１】
第１考案の作業パンツは、ベルトを締めるバックル部分をバックル覆いによって覆われているため、紙や傷付き易い商品または製品等を運搬する際に、バックル部分によって前記商品等を傷つけることがない。前記バックル覆いは、一方の面に、前記第１の装着手段および第２の装着手段と固定できる装着手段を備えているため前記装着手段が外部に露出することがない。また、前記バックル覆いは、作業パンツの前部に取り付ける場合、第２の装着手段が表面に露出しないように取り付けられている。さらに、寒冷地において、バックル覆いを大きめに作製しておけば、腹部を冷やすことがない。
【００１２】
（第２考案）
第２考案の作業パンツは、前記バックル覆いの第１の装着手段および第２の装着手段として、ドットボタン、ボタン、面ファスナのいずれかを用いる。
【００１３】
（第３考案）
第３考案の作業パンツは、バックル覆いによって、バックルおよび腹部から膝近傍を覆うような構成となっている。前記バックル覆いは、たとえば、傷付き易い製品の加工、調整、仕上げ、塗装等の作業を行なう場合、バックルを覆うだけでなく、腹部から膝近傍も覆う大きさとすることで、作業が容易にできるだけでなく、作業中に製品に傷を付けることがない。また、前記バックル覆いは、腹部から膝近傍の近傍まであるので、温かいだけでなく、作業パンツの前面を保護することもできる。
【実施例１】
【００１４】
図１は本考案の第１実施例である作業パンツを説明するための斜視図である。図２は本考案の第１実施例である作業パンツのベルト部分を覆った状態を説明するための図である。図３（イ）から（ハ）はバックル覆いを説明するための図であり、（イ）はバックル覆いの表、（ロ）はバックル覆いの裏、（ハ）は使用する際に折り曲げた状態を説明するための図である。図４は本考案の第１実施例である作業パンツのベルト部分を覆った状態の断面図である。図１から図４において、バックル覆い１１は、一つの面に一方の装着手段であるドットボタン１１１、１１１′と、他方の装着手段であるドットボタン１１２、１１２′が、たとえば、布製品に取り付けられている。
【００１５】
一方、作業パンツ１２は、前立て１２１と、ベルト通し１２２、前記作業パンツ１２の内部に第１の装着手段１２３、１２３′、および前記パンツの外部に第２の装着手段１２４、１２４′が少なくとも取り付けられている。前記作業パンツ１２は、図２に示すように、ベルト通し１２２にベルト１３を通す。前記バックル覆い１１は、前記作業パンツ１２における第１の装着手段１２３、１２３′に一方の装着手段１１１、１１１′が取り付けられる。次に、前記バックル覆い１１は、ベルト１３のバックル１３１部分を覆い、他方の装着手段１１２、１１２′が前記第２の装着手段１２４、１２４′に取り付けられる。
【００１６】
前記各装着手段は、ドットボタン、ボタン、面ファスナのいずれかであり、作業パンツ１２の表面に露出しないように取り付けられる。したがって、前記作業パンツ１２は、ベルト１３をバックル１３１によって締めて、紙で包装した商品等を運搬しても、運搬中にバックル１３１によって、前記商品等に傷を付けることがない。
【実施例２】
【００１７】
図５は本考案の第２実施例である作業パンツを説明するための斜視図である。図５において、作業パンツ１２は、第１実施例と同じ部分に同じ符号が付けられている。そして、第１実施例と異なるのは、第１実施例におけるバックル覆い１１が前掛け（二点鎖線）になっている点である。すなわち、第２実施例のバックル覆い５１は、図１から図４に示すバックル覆い１１より、幅および長さが大きくなっている。たとえば、前記幅は、腹から腰骨にかけ、長さは、膝の近傍にかけて設けられている。また、前記バックル覆い５１は、必要に応じて、ポケット５１１（二点鎖線）を設けることができる。
【００１８】
前記バックル覆い５１は、傷付き易い商品等を運搬する際に、前記商品に傷を付けないだけでなく、製品または商品の加工、調整、仕上げ、塗装等の作業を行なう場合、大きさが大きく前記製品または商品の取扱に都合が良い。
【産業上の利用可能性】
【００１９】
以上、本実施例を詳述したが、本考案は、前記本実施例に限定されるものではない。そして、本考案は、実用新案登録請求の範囲に記載された本考案を逸脱することがなければ、種々の設計変更を行うことが可能である。本考案の作業パンツに付けるバックル覆いの材質は、製品、商品、包装紙等に傷を付けないもので、天然または合成繊維、皮革、毛を素材にした軟らかいものであれば、公知または周知のものが使用できる。また、装着手段は、公知または周知のものを使用することができる。
【図面の簡単な説明】
【００２０】
【図１】本考案の第１実施例である作業パンツを説明するための斜視図である。（実施例１）
【図２】本考案の第１実施例である作業パンツのベルト部分を覆った状態を説明するための図である。
【図３】（イ）から（ハ）はバックル覆いを説明するための図であり、（イ）はバックル覆いの表、（ロ）はバックル覆いの裏、（ハ）は使用する際に折り曲げた状態を説明するための図である。
【図４】本考案の第１実施例である作業パンツのベルト部分を覆った状態の断面図である。
【図５】本考案の第２実施例である作業パンツを説明するための斜視図である。（実施例２）
【符号の説明】
【００２１】
１１・・・バックル覆い
１１１、１１１′、１１２、１１２′・・・装着手段
１２・・・作業パンツ
１２１・・・前立て
１２２・・・ベルト通し
１２３、１２３′・・・第１の装着手段
１２４、１２４′・・・第２の装着手段
１３・・・ベルト
１３１・・・バックル
５１・・・バックル覆い
５１１・・・ポケット
【図１】
0003109646.tif 000003
【図２】
0003109646.tif 000004
【図３】
0003109646.tif 000005
【図４】
0003109646.tif 000006
【図５】
0003109646.tif 000007